【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
手書き文字あるいは手書き図の電子メール電子通信システムは、
（ａ）電子メールホストサーバを有するネットワーク上のサーバコンピュータにおいて作動可能であるサーバコンポーネントであって、ユーザから送信された電子メールメッセージを受信し、宛先のユーザが検索するように、そのメッセージを保存するサーバコンポーネントと、
（ｂ）ネットワークに対するオンラインデータ接続及び電子メールクライアントソフトウェアを通じて、サーバコンピュータに接続可能な遠隔クライアントコンピュータであって、前記電子メールクライアントソフトウェアは当該遠隔クライアントコンピュータ上で作動して、ユーザ用の電子メールクライアントインターフェースを構成し、電子メールを作成し、サーバコンピュータにおける電子メールホストサーバを介して、受信者に電子メールを送信させることを可能にする遠隔クライアントコンピュータと、そして、
（ｃ）ネットワークに接続されたクライアントコンピュータ上で電子メールクライアントと作動可能なクライアントコンポーネントであって、クライアントコンピュータの電子メールクライアントインターフェースにおいて、任意のグラフィック入力装置により手書き文字や手書き図の入力をユーザが行えるグラフィックデータキャプチャ領域をセットアップし、その入力された手書き文字あるいは手書き図をグラフィックデータとして把握し、それをネットワークを介して電子メールメッセージとして処理するサーバコンポーネントへ送信するクライアントコンポーネントと、
を含んで構成されてなるシステム。
【請求項２】
クライアントコンポーネントは、サーバコンピュータの電子メールホストサーバから受信された手書き文字あるいは手書き図の電子メールメッセージを閲覧するためのクライアントコンピュータの電子メールクライアントインターフェースに、グラフィックデータ閲覧領域をセットアップするように作動可能である請求項1に記載の電子メール電子通信システム。
【請求項３】
クライアントコンポーネントが、クライアントコンピュータ上の標準的なＷｅｂブラウザを介して、クライアントコンピュータの電子メールクライアントインターフェースへダウンロード可能なＪａｖａアプレットである請求項１に記載の電子メール電子通信システム。
【請求項４】
クライアントコンポーネントが、クライアントコンピュータにインストールされた電子メールクライアントにインストールされたＪａｖａアプレットである請求項１に記載の電子メール電子通信システム。
【請求項５】
クライアントコンポーネントが、グラフィックデータを把握し、グラフィックデータを添付ファイルへと変換し、受信先のクライアントコンピュータに送信するためにそれをサーバコンポーネントへ電子メールメッセージにつけて送る請求項１に記載の電子メール電子通信システム。
【請求項６】
クライアントコンポーネントが、グラフィックデータをピクセルデータとして把握して、そのデータを電子メールメッセージにつけてサーバコンポーネントへ送信し、サーバコンポーネントが受信先のクライアントコンピュータへ送信するためにピクセルデータを電子メールメッセージにつける添付ファイルに変換する請求項１に記載の電子メール電子通信システム。
【請求項７】
クライアントコンポーネントが、グラフィックデータをピクセルデータとして把握して、そのデータを電子メールメッセージにつけてサーバコンポーネントへ送信し、サーバコンポーネントがサーバコンピュータ上で作動する手書き用Ｊａｖａサーバであって、ピクセルデータを伴う電子メールメッセージを受信先のクライアントコンピュータへ送信する請求項１に記載の電子メール電子通信システム。
【請求項８】
（ａ）ネットワークにオンライン接続されているクライアントコンピュータ上で作動可能である電子メールクライアントインターフェースの中に、グラフィックデータキャプチャ領域を提供するステップと、
（ｂ）任意のグラフィック入力装置を介して、グラフィックデータキャプチャ領域に手書き文字、あるいは手書き図の電子メールメッセージを作成し、入力された手書きの文字、あるいは手書きの図をグラフィックデータとして把握し、それをサーバコンピュータ上で作動可能であるサーバコンポーネントに、ネットワークを介して電子メールメッセージとして送信するステップと、そして、
（ｃ）サーバコンポーネントを介して、電子メールメッセージを受信し、手書きの文字あるいは手書きの図である電子メールメッセージとして閲覧するために、受信用クライアントコンピュータに送信するステップと、
を含んで構成されてなる手書き文字あるいは手書き図の電子メール電子通信方法。
【請求項９】
ネットワークに接続可能であるクライアントコンピュータ上の電子メールクライアントのインターフェースと作動可能である手書き用通信コンポーネントを含んで構成されてなる電子メール電子通信装置であって、
前記手書き用通信コンポーネントは、ユーザが任意のグラフィック入力装置を介して手書き文字あるいは手書き図の入力を行えるグラフィックデータキャプチャ領域を電子メールクライアントインターフェースの中にセットアップするよう形成され、入力された手書き文字あるいは手書き図をグラフィックデータとして把握し、手書き文字あるいは手書き図の電子メールメッセージとして閲覧するためにそれをネットワーク上に電子メールメッセージと共に送信するようにしてなる電子メール電信通信装置。
【請求項１０】
請求項９に記載の電子メール電子通信装置であって、手書き用通信コンポーネントが以下の内から一つの方法を用いて作動する電子メール電子通信装置。（ａ）グラフィックデータを電子メールメッセージに添付されるグラフィックファイルへ変換する方法、（ｂ）グラフィックデータをピクセルデータとしてフォーマットして、それを電子メールメッセージと共に送信する方法、（ｃ）対応するグラフィックイメージとして電子メールメッセージと共に送信されたグラフィックデータを閲覧するために、グラフィックデータ閲覧領域を受信装置にセットアップする方法、（ｄ）ネットワーク上のワイヤレス接続を介してパーソナルデジタルアシスタンツ（ＰＤＡ）上、あるいはパームトップ型装置上でグラフィック電子メールを受け取り、対応するグラフィックイメージとして電子メールメッセージと共に送られたグラフィックデータを閲覧する方法、（ｅ）装置上にインストールされた電子メールクライアントと作動可能なＪａｖａアプレットを介してグラフィックデータキャプチャ領域をセットアップする方法、そして、（ｆ）クライアントコンピュータ上の標準的なＷｅｂブラウザを介して、クライアントコンピュータの電子メールクライアントとしてダウンロード可能なＪａｖａアプレットを介して、グラフィックデータキャプチャ領域をセットアップする方法。
【請求項１１】
手書き文字あるいは手書き図によるリアルタイム電子通信システムは、
（ａ）リアルタイム通信サーバを有するネットワーク上のサーバコンピュータにおいて作動可能であるサーバコンポーネントであって、送信者から送信された電子メッセージを受信し、リアルタイム形式で電子メッセージを宛先の受信者に送信するサーバコンポーネントと、
（ｂ）ネットワークに対するオンラインデータ接続を介してサーバコンピュータに接続可能な送信者が用いる遠隔クライアント装置、及び遠隔クライアント装置のグラフィックイメージインターフェースにグラフィックデータキャプチャ領域をセットアップするための当該遠隔クライアント装置において作動可能なクライアントコンポーネントであり、グラフィック入力装置を介してユーザが手書き文字あるいは手書き図の入力を行なうことを可能にするためのグラフィックデータキャプチャ領域と作動上連動するグラフィック入力装置を含むクライアントコンポーネントであって、入力された手書き文字あるいは手書き図をグラフィックデータとして把握し、手書き文字あるいは手書き図のリアルタイムメッセージとして処理するために、それをリアルタイム形式の電子メッセージとしてネットワークを介してサーバコンポーネントへ送信するクライアントコンポーネントと、そして、
（ｃ）少なくとももう一つの受信者が用いる遠隔クライアント装置であって、ネットワークに対するオンラインデータ接続を介してサーバコンピュータに接続可能であって、サーバコンポーネントから受信者に送られたリアルタイム電子メッセージを受信し、それを手書き文字あるいは手書き図としてみるために、グラフィックイメージインターフェースを有している遠隔クライアント装置と、
を含んで構成されてなるシステム。
【請求項１２】
クライアント装置のクライアントコンポーネントが、サーバコンポーネントにより送られる手書き文字あるいは手書き図の電子メッセージを閲覧するためのグラフィックデータ閲覧領域をセットアップすることもできる請求項１１に記載のリアルタイム電子通信システム。
【請求項１３】
クライアントコンポーネントがクライアント装置上のグラフィックイメージインターフェースとインストールされたＪａｖａアップレットである請求項１１に記載のリアルタイム電子通信システム。
【請求項１４】
クライアント装置が常時接続タイプのワイヤレスのインターネット用通信装置である請求項１１に記載のリアルタイム電子通信システム。
【請求項１５】
クライアント装置が、即時通信タイプのインターネット用通信装置である請求項１１に記載のリアルタイム電子通信システム。
【請求項１６】
クライアント装置が、常時接続タイプまたは即時通信タイプのインターネット用通信コンポーネントを有する携帯用データ電話である請求項１１に記載のリアルタイム電子通信システム。
【請求項１７】
請求項１１に記載のリアルタイム電子通信システムであって、クライアントコンポーネントが以下の作動方法の一つを用いて作動可能であるリアル電子通信システム。（ａ）入力されたグラフィックデータを即時通信用のフォーマットに変換する方法、（ｂ）入力されたグラフィックデータを常時接続用のフォーマットに変換する方法、（ｃ）入力されたグラフィックデータを常時接続用のメッセージフォーマットまたは即時通信用のメッセージフォーマットに変換し、携帯用データ電話を介してＳＭＳまたはＥＭＳメッセージとして送信する方法、（ｄ）入力されたグラフィックデータを常時接続用のフォーマットまたは即時通信用のフォーマットに変換し、リアルタイムの通信サーバに送信し、受信者のクライアント装置にリアルタイムに通す方法。
【請求項１８】
手書き文字あるいは手書き図のリアルタイム電子通信方法は、
（ａ）ネットワークに対するオンライン接続を有するクライアント装置のクライアントコンポーネントにおいて作動可能であるグラフィックイメージインターフェースにあるグラフィックデータキャプチャ領域、及びユーザが手書き文字あるいは手書き図の入力を行うことを可能にするためにグラフィックデータキャプチャ領域と作動上連動しているグラフィック入力装置を提供するステップと、
（ｂ）グラフィック入力装置によってグラフィックデータキャプチャ領域内のクライアント装置上に手書き文字あるいは手書き図を作成し、それをグラフィックデータとして把握し、それをサーバコンピュータ上で作動可能であるサーバコンポーネントへネットワークを介して電子メッセージと共に送信するステップと、そして、
（ｃ）サーバコンピュータ上のリアルタイム通信サーバを介して電子メッセージを受信し、宛先の受信者が手書き文字あるいは手書き図のグラフィックイメージを閲覧するためにクライアント装置にリアルタイム形式で送信するステップと、
を含んで構成されてなるリアルタイム電子通信方法。
【請求項１９】
ネットワークに接続可能であるクライアントコンピュータ上のリアルタイム通信クライアントのインターフェースと作動可能である手書き用通信コンポーネントを含んで構成されてなるリアルタイム電子通信装置であって、
前記手書き用通信コンポーネントは、ユーザが任意のグラフィック入力装置を介して手書き文字あるいは手書き図の入力を行うグラフィックデータキャプチャ領域をリアルタイム通信インターフェースの中にセットアップするように形成され、グラフィックデータとして入力された手書き文字あるいは手書き図を把握し、手書き文字あるいは手書き図の電子メッセージをリアルタイム形式で閲覧するためにそれをネットワーク上に電子メッセージとして送信するようにしてなるリアルタイム電子通信装置。
【請求項２０】
請求項１９に記載のリアルタイム電子通信装置であって、手書き用通信コンポーネントが以下の内の一つの方法を用いて作動するリアルタイム電子通信装置。（ａ）グラフィックデータを電子メッセージに添付されるグラフィックファイルへ変換する方法。（ｂ）グラフィックデータをピクセルデータとしてフォーマットして、それを電子メッセージと共に送信する方法。（ｃ）対応するグラフィックイメージとして電子メッセージと共に送信されたグラフィックデータを閲覧するために、グラフィックデータ閲覧領域を受信機器にセットアップする方法。（ｄ）ネットワーク上のワイヤレス接続を介してパーソナルデジタルアシスタンツ上、あるいはパームトップ型装置上でグラフィックデータを受け取り、対応するグラフィックイメージとして電子メッセージと共に送られたグラフィックデータを閲覧する方法。（ｅ）装置上にインストールされたリアルタイム通信クライアントと作動可能であるＪａｖａアプレットを介して、グラフィックデータキャプチャ領域をセットアップする方法、そして、（ｆ）携帯用デジタル電話のリアルタイム通信クライアントインターフェースと作動可能なＪａｖａアプレットを介してグラフィックデータキャプチャ領域をセットアップする方法。
【請求項２１】
携帯デジタル電話ネットワークで作動可能である手書き文字あるいは手書き図の電話通信システムは、
（ａ）マルチメディア通信サーバ（ＭＭＳ）を有するネットワーク上のサーバコンピュータにおいて作動可能で、送信者からの電子メッセージを受信し、宛先の受信者に送信するサーバコンポーネントと、
（ｂ）ネットワークに対するオンラインデータ接続を介してサーバコンピュータに接続できる送信元のクライアント装置、及びクライアント装置上で作動可能で、クライアント装置のグラフィックイメージインターフェース内にグラフィックデータキャプチャ領域をセットアップできるクライアントコンポーネントであり、グラフィック入力装置を介してユーザが手書き文字あるいは手書き図の入力を行うことを可能にするためのグラフィックデータキャプチャ領域と作動上連動しているグラフィック入力装置を含んだ前記クライアントコンポーネントであって、入力された手書き文字あるいは手書き図をグラフィックデータとして把握し、それをＭＭＳフォーマットの電子メッセージとしてネットワークを介してマルチメディア通信サーバ（ＭＭＳ）に送信し、宛先の受信者に送信できる前記クライアントコンポーネントと、そして、
（ｃ）受信者がネットワークに対するオンラインデータ接続を介してサーバコンピュータに接続できる少なくとももう一つのクライアント装置であり、サーバコンポーネントによって受信者に送られたＭＭＳフォーマットの電子メッセージを受信できるグラフィックイメージインターフェースを有し、それを手書き文字あるいは手書き図のメッセージとして閲覧できるグラフィックイメージインターフェースを有するクライアント装置と、
を含んで構成されてなるシステム。
【請求項２２】
クライアントコンポーネントが、サーバコンポーネントによって送られた手書き文字あるいは手書き図の電子メッセージを閲覧するためのグラフィックデータ閲覧領域をセットアップするためにも作動可能である請求項２１に記載のデジタル電話通信システム。
【請求項２３】
クライアントコンポーネントが、クライアント装置上のグラフィックイメージインターフェースと共にインストールされたＪａｖａアプレットである請求項２１に記載のデジタル電話通信システム。
【請求項２４】
受信者のクライアント装置が、ＭＭＳフォーマットの電子メッセージを受け取ることをサポートしているワイヤレスの携帯コミュニケーション装置である請求項２１に記載のデジタル電話通信システム。
【請求項２５】
受信者のクライアント装置が、ＭＭＳフォーマットの電子メッセージを受信できることをサポートしている常時接続タイプの装置である請求項２１に記載のデジタル電話通信システム。
【請求項２６】
受信者のクライアント装置が、ＭＭＳフォーマットの電子メッセージを受信できることをサポートしている即時通信タイプの装置である請求項２１に記載のデジタル電話通信システム。
【請求項２７】
受信者のクライアント装置がＭＭＳフォーマットの電子メッセージを受信できることをサポートしているワイヤレスのパーソナルデジタルアシスタンツ（ＰＤＡ）もしくはパームトップ型装置である請求項２１に記載のデジタル電話通信システム。
【請求項２８】
手書き文字あるいは手書き図のデジタル電話通信方法は、
（ａ）ネットワークに対するオンライン接続を有するクライアント装置のクライアントコンポーネントにおいて作動可能であるグラフィックイメージインターフェースにあるグラフィックデータキャプチャ領域、及びユーザが手書き文字あるいは手書き図の入力を行うことを可能にするためにグラフィックデータキャプチャ領域と作動上連動しているグラフィック入力装置を使用するステップと、
（ｂ）グラフィック入力装置によってグラフィックデータキャプチャ領域内のクライアント装置上に手書き文字あるいは手書き図を作成し、それをグラフィックデータとして把握し、それをサーバコンピュータ上で作動可能であるＭＭＳサーバコンポーネントへネットワークを介してＭＭＳフォーマットの電子メッセージと共に送信するステップと、そして、
（ｃ）サーバコンピュータ上のＭＭＳサーバコンポーネントを介して電子メッセージを受信し、宛先の受信者が手書き文字あるいは手書き図のグラフィックイメージを閲覧するためにクライアント装置に送信するステップと、
を含んで構成されてなるデジタル電話通信方法。
【請求項２９】
ネットワークに接続可能であるＭＭＳクライアントのインターフェースと作動可能である手書き用通信コンポーネントを含んで構成されてなるデジタル電話通信装置であって、
前記手書き用通信コンポーネントは、ユーザが任意のグラフィック入力装置を介して、手書き文字あるいは手書き図の入力を行えるグラフィックデータキャプチャ領域をリアルタイム通信インターフェースの中にセットアップするように形成され、グラフィックデータとして入力された手書き文字あるいは手書き図を把握し、手書き文字あるいは手書き図の電子メッセージをリアルタイム形式で閲覧するために、それをネットワーク上にＭＭＳフォーマットで電子メッセージと共に送信するようにしてなるデジタル電話通信装置。
【請求項３０】
請求項２９に記載のデジタル電話通信装置であって、手書き用通信コンポーネントが以下の内の一つの方法を用いて作動するデジタル電話通信装置。（ａ）グラフィックデータを電子メッセージに付けられるグラフィックファイルへ変換する方法、（ｂ）グラフィックデータをピクセルデータとしてフォーマットして、それを電子メッセージと共に送信する方法、（ｃ）対応するグラフィックイメージとして電子メッセージと共に送信されたグラフィックデータを閲覧するために、グラフィックデータ閲覧領域を受信機器にセットアップする方法、（ｄ）ネットワーク上のワイヤレス接続を介してパーソナルデジタルアシスタンツ上、あるいはパームトップ型装置上でグラフィック電子メッセージを受け取り、対応するグラフィックイメージとして電子メッセージと共に送られたグラフィックデータを閲覧する方法、（ｅ）クライアント装置上にインストールされたリアルタイム通信クライアントと作動可能であるＪａｖａアプレットを介して、グラフィックデータキャプチャ領域をセットアップする方法、（ｆ）手書き文字あるいは手書き図の電子メッセージを閲覧するために受信者のクライアント装置にＭＭＳフォーマットの電子メッセージを受信する方法、そして（ｇ）入力されたグラフィックデータをＳＭＳフォーマットのメッセージに付けるグラフィックデータに変換する方法。